(57)【要約】【課題】機体番号によって特定された不正移動機に対し、その所有権とは無関係に、当該不正移動機による発着信を適切に規制することが可能な呼接続制御システム、データベース装置、ホームロケーションレジスタ、交換機、呼接続制御方法を提供する。【解決手段】発着信を規制する対象とされる不正移動機の機体番号をデータベース装置１１０に登録し、該登録された不正移動機の機体番号に対応する電話番号を取得して保持しておく。該保持された電話番号を得たＨＬＲ１２０では、電話番号に基づいて不正移動機への着信要求を規制する。更に、ＨＬＲ１２０から電話番号に対応するＩＭＳＩのデータを得た交換機１３０で、不正移動機１５０からの発信を規制する。【選択図】図１
2010288106.tif 000002
【特許請求の範囲】
【請求項１】
データベース装置、ホームロケーションレジスタ、および、交換機を含んで構成され、発着信を規制する対象とされる不正移動機に係る呼の接続を制限する呼接続制御システムであって、
前記データベース装置は、登録操作に応じて不正移動機の機体番号を登録する不正移動機登録部と、前記不正移動機登録部に登録された機体番号に対応する電話番号を前記呼接続制御システムの網から取得して該登録された機体番号と該取得された電話番号との対応関係を表す番号対照データを形成して保持する番号対照データ保持部と、前記番号対照データ保持部に保持された番号対照データに基づいて機体番号に対応する電話番号のデータを前記ホームロケーションレジスタに供給する電話番号データ供給部とを備え、
前記ホームロケーションレジスタは、前記データベース装置から供給された電話番号のデータを受信する電話番号データ受信部と、前記電話番号データ受信部で受けたデータによる電話番号に対応する対応番号データを前記交換機に供給する対応番号データ供給部と、
前記電話番号データ受信部で受けたデータによる電話番号に対する着信要求を規制する着信規制部とを備え、
前記交換機は、前記ホームロケーションレジスタから前記対応番号データを受信する対応番号データ受信部と、前記対応番号データ受信部で受信した対応番号データに基づいて在圏の不正移動機からの発信を規制する発信規制部とを備えていることを特徴とする呼接続制御システム。
【請求項２】
データベース装置、ホームロケーションレジスタ、および、交換機を含んで構成され、発着信を規制する対象とされる不正移動機に係る呼の接続を制限する呼接続制御システムに適用されるデータベース装置であって、
登録操作に応じて不正移動機の機体番号を登録する不正移動機登録部と、
前記不正移動機登録部に登録された機体番号に対応する電話番号を前記呼接続制御システムの網から取得して該登録された機体番号と該取得された電話番号との対応関係を表す番号対照データを形成して保持する番号対照データ保持部と、
前記番号対照データ保持部に保持された番号対照データに基づいて機体番号に対応する電話番号のデータを前記ホームロケーションレジスタに供給する電話番号データ供給部と、を備えたことを特徴とするデータベース装置。
【請求項３】
データベース装置、ホームロケーションレジスタ、および、交換機を含んで構成され、発着信を規制する対象とされる不正移動機に係る呼の接続を制限する呼接続制御システムに適用されるホームロケーションレジスタであって、
前記データベース装置から供給された電話番号のデータを受信する電話番号データ受信部と、
前記電話番号データ受信部で受けたデータによる電話番号に対応する対応番号データを前記交換機に供給する対応番号データ供給部と、
前記電話番号データ受信部で受けたデータによる電話番号に対する着信要求を規制する着信規制部と、
を備えたことを特徴とするホームロケーションレジスタ。
【請求項４】
データベース装置、ホームロケーションレジスタ、および、交換機を含んで構成され、発着信を規制する対象とされる不正移動機に係る呼の接続を制限する呼接続制御システムに適用される交換機であって、
前記ホームロケーションレジスタから既登録の電話番号に対応する対応番号データを受信する対応番号データ受信部と、
前記対応番号データ受信部で受信した対応番号データに基づいて移動機からの発信を規制する発信規制部と、
を備えていることを特徴とする交換機。
【請求項５】
発着信を規制する対象とされる不正移動機に係る呼の接続を規制する呼接続制御方法であって、
不正移動機の機体番号を登録する不正移動機登録ステップと、
前記不正移動機登録ステップで登録された不正移動機の機体番号に対応する電話番号を取得して保持する電話番号取得・保持ステップと、
前記電話番号取得・保持ステップで保持された電話番号への着信要求を規制する着信規制ステップおよび前記電話番号取得・保持ステップで保持された電話番号に対応するデータに基づいて不正移動機からの発信を規制する発信規制ステップのうちの少なくとも何れかのステップによる規制を行う規制ステップと、
を含んで構成されていることを特徴とする呼接続制御方法。
【発明の詳細な説明】
【技術分野】
【０００１】
本発明は、発着信が規制されるべき不正移動機に対しそれ自体を制御ないし改変することなく当該規制を適切に行うことができる呼接続制御システム、データベース装置、ホームロケーションレジスタ、交換機、呼接続制御方法に関する。
【背景技術】
【０００２】
ユーザの任意により、自ら使用する移動機について発着信を規制するモードをその移動機自体に対する操作によって設定可能にした呼接続制御システムが提案されている（例えば、特許文献１参照）。
この、特許文献１所載の呼接続制御システムでは、移動機からの発着信規制の設定を無線基地局経由で移動交換局が受ける。移動交換局は、設定内容に応じた規制スケジュール情報を取得しホームメモリに格納する。移動交換局では、ホームメモリに格納した規制スケジュール情報に基づいて当該移動機端末への着信を拒否する。
【０００３】
一方、移動機への発着信規制を、一般電話、公衆電話及び他の移動体端末から容易に行うことを可能にする呼接続制御システムも提案されている（例えば、特許文献２参照）。
この、特許文献２所載の呼接続制御システムでは、交換機によって、所定の電話番号への発呼により設定された呼について、移動機の電話番号と、加入者情報データベースに記録されたその移動機の暗唱番号とが入力された場合に、当該移動機への発着信を規制する。
【０００４】
特許文献１および特許文献２所載の技術は、正規の加入者による移動機に対して、その加入者が自発的に移動機に対する発着信を規制することを可能にするものである。
他方、加入契約後に不正解約したり、盗品だったりする不正移動機に対してはそれによる発着信を規制する運用を行うことが妥当であり、これは一般の正規の加入者側においても公平の見地から望ましい。
【０００５】
このような発着信の規制を行うには、所定の入力装置等からホームロケーションレジスタに不正移動機のＩＭＥＩ（International Mobile Equipment Identifier：機体番号）を登録し、該登録したＩＭＥＩをＭＳＩＳＤＮ（Mobile Subscriber ISDN Number：電話番号）に変換して、このＭＳＩＳＤＮに基づいて交換機を通して当該不正移動機自体に発着信のロックをかける等の制御を行うことが考えられる。
【０００６】
このように不正移動機に対して、呼接続制御システム側から制御動作を起こして、当該不正移動機を発着信が停止されたオフラインモードに設定する技術も既に提案されている（例えば、特許文献３参照）。
この、特許文献３所載の呼接続制御システムでは、移動機が発したSETUP信号を受信した交換機が、発信翻訳要求をデータベースへ送信すると、このデータベースが、発信翻訳を実施する。この結果、加入者番号が空きであったり、移動機番号と加入者番号とが不一致であったりした場合に、この移動機を不正移動機であると判断して交換機へ通知する。この通知を受けた交換機が、当該移動機を上述のオフラインモードに設定する。
【先行技術文献】
【特許文献】
【０００７】
【特許文献１】特開２０００−１６５５１９号公報
【特許文献２】特開２００１−１６０８５６号公報
【特許文献３】特開２００４−８０２１４号公報
【発明の概要】
【発明が解決しようとする課題】
【０００８】
既述のように、特許文献１および特許文献２所載の技術は、正規の加入者による移動機に対して、その加入者が自発的に移動機に対する発着信を規制するものであり、不正移動機からの発着信に対処するものではない。従って、あくまでも加入者の任意による自発的な設定操作に基づいて発着信の規制を有効にするものである。
一方、特許文献３所載の技術は、呼接続制御システム側から制御動作を起こして、当該不正移動機を発着信不能にするものである。この場合は、呼接続制御システム（その運用者）側から不正移動機に対して規制をかけることが可能である。既述のとおり、この規制は、交換機が当該不正移動機をオフラインモードにする形で実行される。ここに特許文献３におけるオフラインモードとは、全ての無線信号送受信を行わないモードであって、網側の交換機からの移動機制御信号にてこのオフラインモードへの設定が可能である旨開示されている。
【０００９】
しかしながら、不正移動機に対して、外部から、その機体自体の機能を利用して、発着信不能にしてしまう等の制御かけることは所有権の侵害に該当する虞がある。
他方、不正移動機は、機体そのものが加入契約に違背する解約が行われたものであったり盗品であったりする移動機であり、従って、その特定は機体番号によってなされ、また、その登録も機体番号（ＩＭＥＩ）による。
【００１０】
しかしながら、電話番号（ＭＳＩＳＤＮ）に基づいて着信に規制をかける構成のホームロケーションレジスタでは、不正移動機の機体番号の情報を得てもこの情報に基づいて着信規制を直ちに実行に移すことはできない。
同様に交換機においても、通常はＩＭＳＩ(International Mobile User Identity)に基づいて発信に規制をかけるように構成され、不正移動機の機体番号の情報を得てもこの情報に基づいて発信規制を直ちに実行に移すことはできない。
【００１１】
本発明は、上述のような状況に鑑みてなされたものであり、機体番号によって特定された不正移動機に対し、その所有権とは無関係に、当該不正移動機による発着信を適切に規制することが可能な呼接続制御システム、データベース装置、ホームロケーションレジスタ、交換機、呼接続制御方法を提供することを目的とする。
【課題を解決するための手段】
【００１２】
上記課題を解決するために、茲に、以下に列記する技術を提案する。
（１）データベース装置、ホームロケーションレジスタ、および、交換機を含んで構成され、発着信を規制する対象とされる不正移動機に係る呼の接続を制限する呼接続制御システムであって、
前記データベース装置は、登録操作に応じて不正移動機の機体番号（一つの実施の形態では、ＩＭＥＩ）を登録する不正移動機登録部と、前記不正移動機登録部に登録された機体番号に対応する電話番号（同、ＭＳＩＳＤＮ）を前記呼接続制御システムの網から取得して該登録された機体番号と該取得された電話番号との対応関係を表す番号対照データを形成して保持する番号対照データ保持部と、前記番号対照データ保持部に保持された番号対照データ（同、ＩＭＳＩ）に基づいて機体番号に対応する電話番号のデータを前記ホームロケーションレジスタに供給する電話番号データ供給部とを備え、
前記ホームロケーションレジスタは、前記データベース装置から供給された電話番号のデータを受信する電話番号データ受信部と、前記電話番号データ受信部で受けたデータによる電話番号に対応する対応番号データを前記交換機に供給する対応番号データ供給部と、
前記電話番号データ受信部で受けたデータによる電話番号に対する着信要求を規制する着信規制部とを備え、
前記交換機は、前記ホームロケーションレジスタから前記対応番号データを受信する対応番号データ受信部と、前記対応番号データ受信部で受信した対応番号データに基づいて在圏の不正移動機からの発信を規制する発信規制部とを備えていることを特徴とする呼接続制御システム。
【００１３】
上記（１）の呼接続制御システムは、発着信を規制する対象とされる不正移動機に対する呼の接続を制限する。
この呼接続制御システムにおけるデータベース装置では、不正移動機登録部で、登録操作に応じて不正移動機の機体番号を登録する。また、番号対照データ保持部で、前記不正移動機登録部に登録された機体番号に対応する電話番号を前記呼接続制御システムの網から取得して該登録された機体番号と該取得された電話番号との対応関係を表す番号対照データを形成して保持する。更に、電話番号データ供給部で、前記番号対照データ保持部に保持された番号対照データに基づいて機体番号に対応する電話番号のデータを前記ホームロケーションレジスタに供給する。
【００１４】
（２）データベース装置、ホームロケーションレジスタ、および、交換機を含んで構成され、発着信を規制する対象とされる不正移動機に係る呼の接続を制限する呼接続制御システムに適用されるデータベース装置であって、
登録操作に応じて不正移動機の機体番号を登録する不正移動機登録部と、
前記不正移動機登録部に登録された機体番号に対応する電話番号を前記呼接続制御システムの網から取得して該登録された機体番号と該取得された電話番号との対応関係を表す番号対照データを形成して保持する番号対照データ保持部と、
前記番号対照データ保持部に保持された番号対照データに基づいて機体番号に対応する電話番号のデータを前記ホームロケーションレジスタに供給する電話番号データ供給部と、を備えたことを特徴とするデータベース装置。
【００１５】
上記（２）のデータベース装置は、データベース装置、ホームロケーションレジスタ、および、交換機を含んで構成され、発着信を規制する対象とされる不正移動機に係る呼の接続を制限する呼接続制御システムに適用される。
このデータベース装置における不正移動機登録部では、登録操作に応じて不正移動機の機体番号を登録する。
また、このデータベース装置における番号対照データ保持部では、前記不正移動機登録部に登録された機体番号に対応する電話番号を前記呼接続制御システムの網から取得して該登録された機体番号と該取得された電話番号との対応関係を表す番号対照データを形成して保持する。
更に、このデータベース装置における電話番号データ供給部では、前記番号対照データ保持部に保持された番号対照データに基づいて機体番号に対応する電話番号のデータを前記ホームロケーションレジスタに供給する。
【００１６】
（３）データベース装置、ホームロケーションレジスタ、および、交換機を含んで構成され、発着信を規制する対象とされる不正移動機に係る呼の接続を制限する呼接続制御システムに適用されるホームロケーションレジスタであって、
前記データベース装置から供給された電話番号のデータを受信する電話番号データ受信部と、
前記電話番号データ受信部で受けたデータによる電話番号に対応する対応番号データを前記交換機に供給する対応番号データ供給部と、
前記電話番号データ受信部で受けたデータによる電話番号に対する着信要求を規制する着信規制部と、
を備えたことを特徴とするホームロケーションレジスタ。
【００１７】
上記（３）のホームロケーションレジスタは、データベース装置、ホームロケーションレジスタ、および、交換機を含んで構成され、発着信を規制する対象とされる不正移動機に係る呼の接続を制限する呼接続制御システムに適用される。
このホームロケーションレジスタにおける電話番号データ受信部では、前記データベース装置から供給された電話番号のデータを受信する。
また、このホームロケーションレジスタにおける対応番号データ供給部では、前記電話番号データ受信部で受けたデータによる電話番号に対応する対応番号データを前記交換機に供給する。
更に、このホームロケーションレジスタにおける着信規制部では、前記電話番号データ受信部で受けたデータによる電話番号に対する着信要求を規制する。
【００１８】
（４）データベース装置、ホームロケーションレジスタ、および、交換機を含んで構成され、発着信を規制する対象とされる不正移動機に係る呼の接続を制限する呼接続制御システムに適用される交換機であって、
前記ホームロケーションレジスタから既登録の電話番号に対応する対応番号データを受信する対応番号データ受信部と、
前記対応番号データ受信部で受信した対応番号データに基づいて移動機からの発信を規制する発信規制部と、
を備えていることを特徴とする交換機。
【００１９】
上記（４）の交換機は、データベース装置、ホームロケーションレジスタ、および、交換機を含んで構成され、発着信を規制する対象とされる不正移動機に係る呼の接続を制限する呼接続制御システムに適用される。
この交換機における対応番号データ受信部では、前記ホームロケーションレジスタから既登録の電話番号に対応する対応番号データを受信する。
また、この交換機における発信規制部では、前記対応番号データ受信部で受信した対応番号データに基づいて移動機からの発信を規制する。
【００２０】
（５）発着信を規制する対象とされる不正移動機に係る呼の接続を規制する呼接続制御方法であって、
不正移動機の機体番号を登録する不正移動機登録ステップと、
前記不正移動機登録ステップで登録された不正移動機の機体番号に対応する電話番号を取得して保持する電話番号取得・保持ステップと、
前記電話番号取得・保持ステップで保持された電話番号への着信要求を規制する着信規制ステップおよび前記電話番号取得・保持ステップで保持された電話番号に対応するデータに基づいて不正移動機からの発信を規制する発信規制ステップのうちの少なくとも何れかのステップによる規制を行う規制ステップと、
を含んで構成されていることを特徴とする呼接続制御方法。
【００２１】
上記（５）の呼接続制御方法は、発着信を規制する対象とされる不正移動機に対する呼の接続を規制する方法である。
この呼接続制御方法における不正移動機登録ステップでは、不正移動機の機体番号を登録する。
また、この呼接続制御方法における電話番号取得・保持ステップでは、前記不正移動機登録ステップで登録された不正移動機の機体番号に対応する電話番号を取得して保持する。
更にまた、この呼接続制御方法における規制ステップでは、前記電話番号取得・保持ステップで保持された電話番号への着信要求を規制する着信規制ステップおよび前記電話番号取得・保持ステップで保持された電話番号に対応するデータに基づいて不正移動機からの発信を規制する発信規制ステップのうちの少なくとも何れかのステップによる規制を行う。
【発明の効果】
【００２２】
機体番号によって特定された不正移動機に対し、その所有権を侵害することなく、当該不正移動機による発着信を専ら呼接続制御システム側の機能で規制することが可能な呼接続制御システム、データベース装置、ホームロケーションレジスタ、交換機、呼接続制御方法が実現される。
【図面の簡単な説明】
【００２３】
【図１】本発明の呼接続制御システムの基本的な構成を例示する概念図である。
【図２】本発明の呼接続制御システムの実際的な構成を例示する図である。
【図３】本発明の呼接続制御方法を表すシーケンスチャートである。
【図４】本発明の呼接続制御方法を表すシーケンスチャートである。
【図５】本発明の呼接続制御方法を表すシーケンスチャートである。
【発明を実施するための形態】
【００２４】
以下に、図面を参照して本発明の実施の形態について詳述することにより、本発明を明らかにする。
（呼接続制御システムの基本的構成例）
図１は、本発明の一つの実施の形態としての呼接続制御システムの基本的構成を表す概念図である。
図１において、この呼接続制御システム１００は、データベース装置１１０、ホームロケーションレジスタ（ＨＬＲ：Home Location Register）１２０、および、交換機１３０を含んで構成されている。
データベース装置１１０は、入力装置１４０による不正移動機の機体番号（ＩＭＥＩ：International Mobile Equipment Identifier）の入力操作を受け付けて、当該不正移動機の機体番号を登録する不正移動機登録部１１１を備えている。
【００２５】
上述のような入力装置１４０は、例えば、通信事業者の店舗等に設置され、顧客の加入契約手続等のために用いられる入力装置であってもよい。
また、データベース装置１１０は、不正移動機登録部１１１に登録された機体番号に対応する電話番号（ＭＳＩＳＤＮ：Mobile Subscriber ISDN Number）を呼接続制御システム１００の網から取得して該登録された機体番号と該取得された電話番号との対応関係を表す番号対照データを形成して保持する番号対照データ保持部１１２を備えている。
【００２６】
更に、データベース装置１１０は、番号対照データ保持部１１２に保持された番号対照データに基づいて機体番号に対応する電話番号のデータをホームロケーションレジスタ１２０に供給する電話番号データ供給部１１３を備えている。
一方、ホームロケーションレジスタ１２０は、データベース装置１１０から供給された電話番号のデータを受信する電話番号データ受信部１２１と、電話番号データ受信部１２１で受けたデータによる電話番号に対応する対応番号データを交換機１３０に供給する対応番号データ供給部１２２を備えている。
この対応番号データとは、例えば、ＩＭＳＩ(International Mobile User Identity)である。
【００２７】
更に、ホームロケーションレジスタ１２０は、電話番号データ受信部１２２で受けたデータによる電話番号に対する着信要求を規制する着信規制部１２３を備えている。
また、交換機１３０は、ホームロケーションレジスタ１２０から上述の対応番号データを受信する対応番号データ受信部１３１と、対応番号データ受信部１３１で受信した対応番号データに基づいて在圏の不正移動機１５０からの発信を規制する発信規制部１３２とを備えている。
【００２８】
上述のような呼接続制御システム１００では、入力装置１４０からの入力操作によって、不正移動機１５０の機体番号がデータベース装置１１０の不正移動機登録部１１１に登録される。
データベース装置１１０の不正移動機登録部１１１に不正移動機の機体番号が登録されると、この装置１１０の番号対照データ保持部１１２によって、この機体番号に対応する電話番号が取得される。即ち、呼接続制御システム１００の網上に不正移動機が位置登録要求を上げてくるとこの電話番号が検出され、該検出された電話番号が取得される。
【００２９】
番号対照データ保持部１１２では、更に、上述のように登録された機体番号と、取得された電話番号とによって、両者の対応関係を表す番号対照データが形成され、保持される。
尚、より実際的な例としては、当初からは不正移動機として限定されていない各移動機の機体番号と電話番号との対照テーブルが作成され、この対照テーブルのデータのうち不正移動機に該当するものが入力装置１４０からの入力により特定されることによって、該特定されたデータが上記における番号対照データとして位置付けられる形態がとられる。
【００３０】
このように取得され、保持された不正移動機に関する電話番号のデータは、データベース装置１１０の電話番号データ供給部１１３によってホームロケーションレジスタ１２０に供給される。この供給は、例えば、不正移動機に関する電話番号のデータがデータベース装置１１０において更新される都度行うようにしてもよく、或いはまた、適宜の周期で繰り返し実行するようにしてもよい。
【００３１】
ホームロケーションレジスタ１２０では、上述のようにデータベース装置１１０の電話番号データ供給部１１３から供給される電話番号データをその電話番号データ受信部１２１で受ける。更に、このようにして受けた電話番号データを電話番号に対応する対応番号データに変換する。対応番号データは、典型的には、既述のＩＭＳＩ(International Mobile User Identity)である。このような対応番号データが交換機１３０に供給される。上述のような電話番号からこれに対応する対応番号データへの変換と、この対応番号データの交換機１３０への供給はホームロケーションレジスタ１２０における対応番号データ供給部によって実行される。
【００３２】
ホームロケーションレジスタ１２０では、更に、電話番号データ受信部１２１で受けたデータによる電話番号に対する着信要求を規制する。これにより、不正移動機宛ての着信要求があった場合に、この不正移動機自体の機能に関して外部から影響を与えることなく、専ら、呼接続制御システム側の機能によって、その着信を規制（拒否）することができる。従って、この着信規制の実施が不正移動機に係る所有権を侵害する虞がない。尚、この場合、着信要求を上げた移動機に対しては、この着信を規制している趣旨の適宜のガイドメッセージが返されるようにしてもよい。
【００３３】
一方、交換機１３０は、ホームロケーションレジスタ１２０から上述のようにして供給された対応番号データ（ＩＭＳＩ）をその対応番号データ受信部１３１で受信すると、この対応番号データに基づいて移動機からの発信を発信規制部１３２で規制する。
即ち、交換機１３０は、不正移動機１５０の登録はその機体番号によって行われていても、データベース装置１１０およびホームロケーションレジスタ１２０を経て上述のように、機体番号に対応する対応番号データ（ＩＭＳＩ）を取得し、これを認識することができる。
【００３４】
従って、呼接続制御システム１００における不正移動機１５０の登録は機体番号により行われるという条件下でも、不正移動機１５０からの発信要求を的確に識別し、これに規制をかけることができる。
そして、この発信規制も、不正移動機自体の機能に関して外部から影響を与えることなく、確実に実行することができる。即ち、専ら、呼接続制御システム側の機能によって、発信規制を実施することができる。従って、この発信規制の実施が不正移動機に係る所有権を侵害する虞がない。
【００３５】
（呼接続制御システムの実際的な構成）
次に、図面を参照して、呼接続制御システムのより実際的な構成について説明する。
図２は、本発明の呼接続制御システムのより実際的な構成を例示する図である。既述の図１においては、本発明の一つの実施の形態としての呼接続制御システムの基本的構成が例示されている。そして、図１では、説明の便宜上、データベース装置１１０、ホームロケーションレジスタ１２０、および、交換機１３０はそれぞれ一つ描かれ、それらの構成を機能ブロック図の如く表記してある。しかしながら、本発明によるより実際的な呼接続制御システムは、図２の如く、一つのデータベース装置と、これに対応する複数のホームロケーションレジスタおよび各ホームロケーションレジスタに対応する複数の交換機を含んで構成される。
【００３６】
図２の呼接続制御システム２００において、システムの各構成要素は、図１を参照して既述のものと略同様の機能を備えている。データベース装置１１０についても、これに対して入力装置１４０から不正移動機の登録操作を機体番号（ＩＭＥＩ）で行う点も同様である。
そして、図２の呼接続制御システム２００では、一つのデータベース装置１１０に対して、複数のホームロケーションレジスタ１２０ａ、１２０ｂ、１２０ｃが対応し、これらのホームロケーションレジスタが呼接続制御システム２００における各対応する領域を分担している。
【００３７】
また、ホームロケーションレジスタ１２０ａの配下には、複数の交換機１３０ａ１および１３０ａ２が設置されている。同様に、ホームロケーションレジスタ１２０ｂの配下には、交換機１３０ｂ１および１３０ｂ２が設置され、ホームロケーションレジスタ１２０ｃの配下には、交換機１３０ｃ１および１３０ｃ２が設置されている。
各ホームロケーションレジスタ１２０ａ、１２０ｂ、および、１２０ｃは、図１におけるホームロケーションレジスタ１２０と同様の構成を有する。また、各交換機１３０ａ１、１３０ａ２、１３０ｂ１、１３０ｂ２、１３０ｃ１および１３０ｃ２は、図１における交換機１３０と同様の構成を有する。
【００３８】
図２の呼接続制御システム２００では、既述のように、入力装置１４０からデータベース装置１１０に不正移動機がそれらの機体番号によって登録される。図２の例では、移動機は１５０ａおよび１５０ｃの２機を含む移動機が不正移動機として登録されていると想定している。
上述のようにしてデータベース装置１１０に不正移動機が登録されると、これらの登録に係る機体番号に対応する電話番号データ（ＭＳＩＳＤＮ）が、呼接続制御システム２００内の各ホームロケーションレジスタ１２０ａ、１２０ｂ、および、１２０ｃに供給される。
【００３９】
各ホームロケーションレジスタ１２０ａ、１２０ｂ、および、１２０ｃでは、上述のようにして供給された電話番号データに基づいて、これらの電話番号に対応する対応番号データ（ＩＭＳＩ）を配下の各交換機に供給する。
また、各ホームロケーションレジスタ１２０ａ、１２０ｂ、および、１２０ｃでは、データベース装置１１０から供給されたデータによる電話番号に対する着信要求を規制する。即ち、不正移動機自体の機能に依存せず、専ら、呼接続制御システム側の機能によって着信規制が実施されるため、不正移動機に係る所有権を侵害する虞がない。
【００４０】
図２では、ホームロケーションレジスタ１２０ａ、および、１２０ｃで、不正移動機宛ての着信要求を拒否している様子が表されている。
一方、各ホームロケーションレジスタ１２０ａ、１２０ｂ、および、１２０ｃの配下の各交換機１３０ａ１、１３０ａ２、１３０ｂ１、１３０ｂ２、１３０ｃ１および１３０ｃ２では、各ホームロケーションレジスタ１２０ａ、１２０ｂ、および、１２０ｃから供給された対応番号データ（ＩＭＳＩ）に基づいて、該当する不正移動機（１５０ａ、１５０ｃ）からの発信要求を拒否する。
【００４１】
図２を参照して説明した実施の形態による呼接続制御システムでは、この呼接続制御システム２００内の単一のデータベース装置１１０において登録データが一元的に管理される。そして、このように一元的に管理された不正移動機の登録情報に基づいて、複数の各ホームロケーションレジスタにおいて対応する電話番号に基づいて不正移動機に対する着信が規制される。そして更に、複数の各交換機１３０ａ１、１３０ａ２、１３０ｂ１、１３０ｂ２、１３０ｃ１および１３０ｃ２において不正移動機からの発信要求が上述の対応番号データ（ＩＭＳＩ）に基づいて規制される。また、この場合、何れの規制についても、移動機自体の機能に依存せず、専ら、呼接続制御システム側の機能によって、発信規制を実施することができる。従って、不正移動機に係る所有権を侵害する虞がない。
【００４２】
（呼接続制御方法）
図３〜図５は本発明の呼接続制御方法を表すシーケンスチャートである。これら図３〜図５は何れも、図１の呼接続制御システムにおいて本発明の呼接続制御方法を実行する場合の手順を例示している。
図３は、図１を参照して説明したように、ホームロケーションレジスタ１２０で不正移動機への着信要求を規制し、交換機１３０で不正移動機からの発信要求を規制する態様の呼接続制御方法を表すシーケンスチャートである。
入力装置１４０からのＩＭＥＩの入力操作によってデータベース装置１１０に不正移動機が登録される（ステップＳ３０１〜ステップＳ３０２）。
【００４３】
次いで、データベース装置１１０は、呼接続制御システム１００の網上から不正移動機のＩＭＥＩに対応するＭＳＩＳＤＮ（電話番号）を取得し保持する（ステップＳ３０３）。
データベース装置１１０は、ステップＳ３０３で取得し保持しているＭＳＩＳＤＮ（電話番号）をＨＬＲ（ホームロケーションレジスタ）１２０に供給する（ステップＳ３０４）。
【００４４】
ＨＬＲ１２０は、ステップＳ３０４でデータベース装置１１０から受けたＭＳＩＳＤＮに対応するＩＭＳＩを得て（ステップＳ３０５）、これを交換機１３０に供給する（ステップＳ３０６）。
ＨＬＲ１２０は、また、ステップＳ３０４で受けたＭＳＩＳＤＮに基づいて、この番号の不正移動機への着信要求を検出し（ステップＳ３０７）、該検出された不正移動機への着信要求を規制する（ステップＳ３０８）。従って、専ら、呼接続制御システム側の機能によって着信規制が実施されるため、不正移動機に係る所有権を侵害する虞がない。
【００４５】
一方、交換機１３０は、ステップＳ３０６でＨＬＲ１２０から供給されたＩＭＳＩに基づいて、このＩＭＳＩに該当する不正移動機からの発信要求を検出し（ステップＳ３０９）、該検出された不正移動機からの発信要求を規制する（ステップＳ３１０）。従って、専ら、呼接続制御システム側の機能によって、発信規制を実施されるため、不正移動機に係る所有権を侵害する虞がない。
【００４６】
図４は、ホームロケーションレジスタ１２０による不正移動機への着信要求の規制は敢えて行わず、交換機１３０で不正移動機からの発信要求を規制する態様の呼接続制御方法を表すシーケンスチャートである。
入力装置１４０からのＩＭＥＩの入力操作によってデータベース装置１１０に不正移動機が登録される（ステップＳ４０１〜ステップＳ４０２）。
次いで、データベース装置１１０は、呼接続制御システム１００の網上から不正移動機のＩＭＥＩに対応するＭＳＩＳＤＮ（電話番号）を取得し保持する（ステップＳ４０３）。
【００４７】
データベース装置１１０は、ステップＳ４０３で取得し保持しているＭＳＩＳＤＮ（電話番号）をＨＬＲ（ホームロケーションレジスタ）１２０に供給する（ステップＳ４０４）。
ＨＬＲ１２０は、ステップＳ４０４でデータベース装置１１０から受けたＭＳＩＳＤＮに対応するＩＭＳＩを得て（ステップＳ４０５）、これを交換機１３０に供給する（ステップＳ４０６）。
【００４８】
交換機１３０は、ステップＳ４０６でＨＬＲ１２０から供給されたＩＭＳＩに基づいて、このＩＭＳＩに該当する不正移動機からの発信要求を検出し（ステップＳ４０７）、該検出された不正移動機からの発信要求を規制する（ステップＳ４０８）。
従って、移動機自体の機能に依存せず、専ら、呼接続制御システム側の機能によって、発信規制を実施することができる。このため、不正移動機に係る所有権を侵害する虞がない。
【００４９】
図５は、ホームロケーションレジスタ１２０で不正移動機への着信要求を規制し、交換機１３０で不正移動機からの発信要求を規制する態様の呼接続制御方法を表すシーケンスチャートである。
入力装置１４０からのＩＭＥＩの入力操作によってデータベース装置１１０に不正移動機が登録される（ステップＳ５０１〜ステップＳ５０２）。
次いで、データベース装置１１０は、呼接続制御システム１００の網上から不正移動機のＩＭＥＩに対応するＭＳＩＳＤＮ（電話番号）を取得し保持する（ステップＳ５０３）。
【００５０】
データベース装置１１０は、ステップＳ５０３で取得し保持しているＭＳＩＳＤＮ（電話番号）をＨＬＲ（ホームロケーションレジスタ）１２０に供給する（ステップＳ５０４）。
ＨＬＲ１２０は、ステップＳ３０４でデータベース装置１１０から受けたＭＳＩＳＤＮに基づいて、この番号の不正移動機への着信要求を検出し（ステップＳ５０５）、該検出された不正移動機への着信要求を規制する（ステップＳ５０６）。
【００５１】
従って、不正移動機自体の機能に依存せず、専ら、呼接続制御システム側の機能によって着信規制が実施される。このため、不正移動機に係る所有権を侵害する虞がない。
一方、図５の態様では、交換機１３０は不正移動機からの発信要求の規制は敢えて行わない。このため、図５では、図３および図４との対比のために、交換機１３０は破線図示されている。
【符号の説明】
【００５２】
１００………………呼接続制御システム
１１０………………データベース装置
１１１………………不正移動機登録部
１１２………………番号対照データ保持部
１１３………………電話番号データ供給部
１２０………………ホームロケーションレジスタ
１２１………………電話番号データ受信部
１２２………………対応番号データ供給部
１２３………………着信規制部
１３０………………交換機
１３１………………対応番号データ受信部
１３２………………発信規制部
１４０………………入力装置
１５０………………不正移動機
【図１】
2010288106.tif 000003
【図２】
2010288106.tif 000004
【図３】
2010288106.tif 000005
【図４】
2010288106.tif 000006
【図５】
2010288106.tif 000007